(57)【特許請求の範囲】
【請求項１】
第１乃至第Ｎ（ただし、Ｎは２以上の整数）の仮想クライアント部を有するサーバ装置を備え、
前記第１乃至第Ｎの仮想クライアント部は、モバイルネットワーク上のパケット転送装置を介してそれぞれ第１乃至第Ｎの携帯端末と接続され、
前記各仮想クライアント部は、
前記携帯端末からの指示情報を前記パケット転送装置を介して受信し、
前記指示情報をもとにアプリケーションを動作させてコンテンツを取得し、前記コンテンツの画像信号を画像デコーダで復号し、復号した画像信号を画像エンコーダにより前記携帯端末の機種、能力情報に応じた符号化方式で圧縮符号化し、
前記コンテンツに付随するオーディオ信号をオーディオデコーダで一旦復号し、前記復号したオーディオ信号をオーディオエンコーダにより前記携帯端末の機種、能力情報に応じた符号化方式で圧縮符号化し、
前記圧縮符号化した画像信号と前記圧縮符号化したオーディオ信号をそれぞれパケットに格納して前記パケット転送装置に送出し、
前記携帯端末は、前記モバイルネットワーク上の前記パケット転送装置を介して前記サーバ装置からの前記パケットを受信し、前記パケットに格納された圧縮符号化された画像信号を画像デコーダにより復号した上で画面を表示し、圧縮符号化されたオーディオ信号オーディオデコーダにより復号して再生し、
前記サーバ装置におけるアプリケーションの更新による新規サービスの導入に対して、前記第１乃至第Ｎの仮想クライアント部では、前記第１乃至第Ｎの前記携帯端末の機種、能力に対応したコンテンツを提供自在としてなる、ことを特徴とする通信システム。
【請求項２】
モバイルネットワーク上のパケット転送装置を介して複数の携帯端末と接続されるサーバ装置を備え、
前記サーバ装置は、
第１乃至第Ｎ（ただし、Ｎは２以上の整数）の仮想クライアント部を備え、
前記第１乃至第Ｎの仮想クライアント部は、前記パケット転送装置を介して第１乃至第Ｎの携帯端末にそれぞれ接続され、
前記各携帯端末に対応して、前記各仮想クライアント部は、
前記携帯端末からの指示情報を前記パケット転送装置を介して受信し、前記指示情報を基に、対応するコンテンツを取得する制御信号・送受信部と、
前記制御信号・送受信部で取得したコンテンツの圧縮符号化された画像データを復号する画像デコーダ部と、
復号した画面を予め定められた解像度で一部又は全部をキャプチャする画面キャプチャ部と、
前記画面キャプチャ部でキャプチャされた画像データを、前記携帯端末の機種、能力情報に基づき予め定められた圧縮符号化方式で圧縮符号化する画像エンコーダ部と、
前記コンテンツに含まれる圧縮符号化されたオーディオ信号に対して、予め定められた圧縮符号化方式で圧縮符号化されたものであるか否か判別し、予め定められた圧縮符号化方式でない場合には、復号し、予め定められた圧縮符号化方式である場合には、前記オーディオ信号の復号と圧縮符号化をスキップし、前記オーディオ信号をパケット送信部に入力するオーディオデコーダ部と、
前記オーディオデコーダ部で復号されたオーディオ信号を、前記携帯端末の機種、能力情報に基づき予め定められた圧縮符号化方式で圧縮符号化するオーディオエンコーダ部と、
予め定められた圧縮符号化方式で圧縮符号化された画像データと予め定められた圧縮符号化方式で圧縮符号化されたオーディオ信号とをそれぞれパケット化して前記パケット転送装置に送出する前記パケット送信部と、
を備え、
前記携帯端末は、
前記モバイルネットワーク上の前記パケット転送装置を介して前記サーバ装置からの前記パケットを受信し、
前記パケットに格納されている予め定められた圧縮符号化方式で圧縮符号化された画像データを前記携帯端末の画像デコーダで復号し、
予め定められた圧縮符号化方式で圧縮符号されたオーディオ信号を前記携帯端末のオーディオデコーダで復号し、
前記サーバ装置におけるアプリケーションの更新による新規サービスの導入に対して、前記第１乃至第Ｎの仮想クライアント部では、前記第１乃至第Ｎの前記携帯端末の機種、能力に対応したコンテンツを提供自在としてなる、ことを特徴とする通信システム。
【請求項３】
前記サーバ装置が、前記携帯端末をシン・クライアントとするシン・クライアント・サーバを構成する、ことを特徴とする請求項２に記載の通信システム。
【請求項４】
前記サーバ装置の前記制御信号・送受信部は、前記指示情報を基に、ウェブサーバ及びコンテンツ配信サーバの少なくとも１つを含むコンテンツ情報源に接続して前記コンテンツを取得する、ことを特徴とする請求項２又は３に記載の通信システム。
【請求項５】
前記モバイルネットワークは、モバイルパケット網又はモバイルＬＴＥ（Ｌｏｎｇ  Ｔｅｒｍ  Ｅｖｏｌｕｔｉｏｎ）／ＥＰＣ（Ｅｖｏｌｖｅｄ  Ｐａｃｋｅｔ  Ｃｏｒｅ）網である、ことを特徴とする請求項１乃至３のいずれか１項に記載の通信システム。
【請求項６】
第１乃至第Ｎ（ただし、Ｎは２以上の整数）の仮想クライアント部を有するサーバ装置であって、
前記第１乃至第Ｎの仮想クライアント部は、モバイルネットワーク上のパケット転送装置を介してそれぞれ第１乃至第Ｎの携帯端末と接続され、
前記各仮想クライアント部は、
前記携帯端末からの指示情報を前記パケット転送装置を介して受信し、
前記指示情報をもとにアプリケーションを動作させてコンテンツを取得し、前記コンテンツの画像信号を画像デコーダで復号し、復号した画像信号を画像エンコーダにより前記携帯端末の機種、能力情報に応じて符号化方式で圧縮符号化し、
前記コンテンツに付随するオーディオ信号をオーディオデコーダで一旦復号し、前記復号したオーディオ信号を予め定められたオーディオエンコーダにより前記携帯端末の機種、能力情報に応じた符号化方式で圧縮符号化し、
前記圧縮符号化した画像信号と前記圧縮符号化したオーディオ信号をそれぞれパケットに格納して前記パケット転送装置に送出し、
前記サーバ装置におけるアプリケーションの更新による新規サービスの導入に対して、前記第１乃至第Ｎの仮想クライアント部では、前記第１乃至第Ｎの前記携帯端末の機種、能力に対応したコンテンツを提供自在としてなる、ことを特徴とするサーバ装置。
【請求項７】
モバイルネットワーク上のパケット転送装置を介して複数の携帯端末と接続されるサーバ装置であって、
第１乃至第Ｎ（ただし、Ｎは２以上の整数）の仮想クライアント部を備え、
前記第１乃至第Ｎの仮想クライアント部は、前記パケット転送装置を介して第１乃至第Ｎの携帯端末にそれぞれ接続され、
前記各携帯端末に対応して、前記各仮想クライアント部は、
前記携帯端末からの指示情報を前記パケット転送装置を介して受信し、前記指示情報を基に、対応するコンテンツを取得する制御信号・送受信部と、
前記制御信号・送受信部で取得したコンテンツの圧縮符号化された画像データを復号する画像デコーダ部と、
前記画像デコーダ部で復号した画面を予め定められた解像度で一部又は全部をキャプチャする画面キャプチャ部と、
前記画面キャプチャ部でキャプチャされた画像データを、前記携帯端末の機種、能力情報に基づき予め定められた圧縮符号化方式で圧縮符号化する画像エンコーダ部と、
前記コンテンツに含まれるオーディオ信号に対して、予め定められた圧縮符号化方式で圧縮符号化されたものであるか否か判別し、
予め定められた圧縮符号化方式でない場合には、前記オーディオ信号を一旦復号し、
予め定められた圧縮符号化方式の場合には、前記オーディオ信号の復号と圧縮符号化をスキップし、前記オーディオ信号をパケット送信部に入力するオーディオデコーダ部と、
前記オーディオデコーダ部で復号されたオーディオ信号を、前記携帯端末の機種、能力情報に基づき予め定められた圧縮符号化方式で圧縮符号化するオーディオエンコーダ部と、
前記予め定められた圧縮符号化方式で圧縮符号化された画像データと前記予め定められた圧縮符号化方式で圧縮符号化されたオーディオ信号をそれぞれパケットに格納し前記パケット転送装置に送出する前記パケット送信部と、
を備え、
前記サーバ装置におけるアプリケーションの更新による新規サービスの導入に対して、前記第１乃至第Ｎの仮想クライアント部では、前記第１乃至第Ｎの前記携帯端末の機種、能力に対応したコンテンツを提供自在としてなる、ことを特徴とするサーバ装置。
【請求項８】
前記サーバ装置が、前記携帯端末をシン・クライアントとするシン・クライアント・サーバを構成する、ことを特徴とする請求項７に記載のサーバ装置。
【請求項９】
前記制御信号・送受信部は、ウェブサーバ又はコンテンツ配信サーバを含むコンテンツ情報源に接続してコンテンツを取得する、ことを特徴とする請求項７又は８記載のサーバ装置。
【請求項１０】
サーバ装置が有する第１乃至第Ｎ（ただし、Ｎは２以上の整数）の仮想クライアント部がモバイルネットワーク上のパケット転送装置を介して第１乃至第Ｎの携帯端末とそれぞれ接続され、
前記各仮想クライアント部は、
前記携帯端末からの指示情報を前記パケット転送装置を介して受信し、
前記指示情報をもとにアプリケーションを動作させてコンテンツを取得し、前記コンテンツの画像信号を画像デコーダで復号し、復号した画像信号を画像エンコーダにより前記携帯端末の機種、能力情報に応じた符号化方式で圧縮符号化し、
前記コンテンツに付随するオーディオ信号をオーディオデコーダで一旦復号し、前記復号したオーディオ信号をオーディオエンコーダにより前記携帯端末の機種、能力情報に応じた符号化方式で圧縮符号化し、
前記圧縮符号化した画像信号と前記圧縮符号化したオーディオ信号をそれぞれパケットに格納して前記パケット転送装置に送出し、
前記携帯端末は、前記モバイルネットワーク上の前記パケット転送装置を介して前記サーバ装置からの前記パケットを受信し、前記パケットに格納された圧縮符号化された画像信号を画像デコーダにより復号した上で画面を表示し、圧縮符号化されたオーディオ信号オーディオデコーダにより復号して再生し、
前記サーバ装置におけるアプリケーションの更新による新規サービスの導入に対して、前記第１乃至第Ｎの仮想クライアント部では、前記第１乃至第Ｎの前記携帯端末の機種、能力に対応したコンテンツを提供自在としてなる、ことを特徴とする通信方法。
【請求項１１】
モバイルネットワーク上のパケット転送装置を介して複数の携帯端末と接続されるサーバ装置では、
第１乃至第Ｎ（ただし、Ｎは２以上の整数）の仮想クライアント部を有し、
前記第１乃至第Ｎの仮想クライアント部は、前記パケット転送装置を介して第１乃至第Ｎの携帯端末にそれぞれ接続され、
前記各携帯端末に対応して、前記各仮想クライアント部では、
（ａ）前記携帯端末からの指示情報を、前記パケット転送装置を介して受信し、
（ｂ）前記指示情報を基に、対応するコンテンツを取得し、
（ｃ）前記取得したコンテンツの圧縮符号化された画像データを復号し、
（ｄ）復号した画面を予め定められた解像度で一部又は全部をキャプチャし、
（ｅ）前記キャプチャされた画像データを、前記携帯端末の機種、能力情報に基づき予め定められた圧縮符号化方式で圧縮符号化し、
（ｆ）前記コンテンツに含まれる圧縮符号化されたオーディオ信号に対して、予め定められた圧縮符号化方式で圧縮符号化されたものであるか否か判別し、
予め定められた圧縮符号化方式でない場合には、前記オーディオ信号を一旦復号し、前記復号したオーディオ信号を、前記携帯端末の機種、能力情報に基づき予め定められた圧縮符号化方式で圧縮符号化し、
予め定められた圧縮符号化方式で圧縮符号化されたものである場合、前記オーディオ信号の復号と圧縮符号化をスキップし、
（ｇ）予め定められた圧縮符号化方式で前記圧縮符号化された画像と予め定められた圧縮符号化方式で前記圧縮符号化されたオーディオ信号をそれぞれパケット化して前記パケット転送装置に送出する、
各処理を実行し、
前記携帯端末では、
前記モバイルネットワークを介して前記パケットを受信し、前記パケットに格納された、予め定められた圧縮符号化方式で圧縮符号化された画像データを復号した上で画面を表示し、予め定められた圧縮符号化方式で圧縮符号化されたオーディオ信号を復号して再生し、前記サーバ装置におけるアプリケーションの更新による新規サービスの導入に対して、前記第１乃至第Ｎの仮想クライアント部では、前記第１乃至第Ｎの前記携帯端末の機種、能力に対応したコンテンツを提供自在としてなる、ことを特徴とする通信方法。
【請求項１２】
前記サーバ装置が、前記携帯端末をシン・クライアントとするシン・クライアント・サーバを構成する、ことを特徴とする請求項１１記載の通信方法。
【発明の詳細な説明】
【技術分野】
【０００１】
［関連出願についての記載］
本発明は、日本国特許出願：特願２０１０−１２８８７５号（２０１０年６月４日出願）の優先権主張に基づくものであり、同出願の全記載内容は引用をもって本書に組み込み記載されているものとする。
本発明は、通信システムに関し、特に、携帯端末がサーバ上の仮想クライアントと通信するリモート型携帯通信システムに適用して好適なシステム、方法、装置に関する。
【背景技術】
【０００２】
今後、ＬＴＥ（Ｌｏｎｇ  Ｔｅｒｍ  Ｅｖｏｌｕｔｉｏｎ）やＥＰＣ（Ｅｖｏｌｖｅｄ  Ｐａｃｋｅｔ  Ｃｏｒｅ）技術などの導入によるモバイルネットワークの高速・大容量化の進展により、ネットワークの高速・大容量性を活用した新しいサービス、例えば、３Ｄ高精細ゲームや、大規模データベース検索、画像認識／照合や、高精細映像（静止画、動画など）や高品質オーディオ、３Ｄオーディオなどを含む新規のサービスなど、が創生されていくものと予想される。【０００３】
特許文献１には、音声網及びデータ網に接続された携帯電話端末と、音声網及びデータ網に接続された仮想端末装置と、該仮想端末装置に接続された相手通信装置とを有し、仮想端末装置は、相手通信装置から受信したユーザデータを解釈し、音声信号と画像信号とに振り分けるアプリケーション処理部と、画像信号を仮想画面に展開する仮想画面部と、音声信号及び画像信号に同期信号を付与し、該音声信号を音声網に送信し、該画像信号をデータ網に送信する同期処理部とを有し、携帯電話端末は、音声網を介して受信した音声信号と、データ網を介して受信した画像信号とを同期させる同期処理部と、音声信号を発声する音声デバイス部と、画像信号を表示する画像デバイス部とを有する。
【先行技術文献】
【特許文献】
【０００４】
【特許文献１】特開２００５−２７７６５４号公報
【発明の概要】
【発明が解決しようとする課題】
【０００５】
以下に関連技術の分析を与える。【０００６】
これまでのサービスでは、オペレータが新規サービスを導入する場合に、既存の携帯端末では対応できない場合が多い。新規サービスに対応するには、新規のサービスが開始されるのにあわせて、ユーザは新規の携帯端末の買い換え又は購入、あるいは、既存の端末の改造等が必要とされる。【０００７】
さらに、上記は動画コンテンツやオーディオを含むコンテンツに対しても、コーデック技術の進歩により、コンテンツの圧縮符号化に、新規の圧縮符号化方式が導入されると、端末に、新規の圧縮符号化方式と、それをデコードするためのデコーダが必要となる。このため、新規の圧縮符号化方式に対応した新規の端末が必要とされる。既存の端末を改造しないと、該端末でコンテンツをデコードすることができない。【０００８】
したがって、本発明の目的は、導入される新規サービス等に対して新規の端末の用意、既存端末の改造等を不要とする通信システム、方法及び装置を提供することにある。
【課題を解決するための手段】
【０００９】
本発明によれば、第１乃至第Ｎ（ただし、Ｎは２以上の整数）の仮想クライアント部を有するサーバ装置を備え、前記第１乃至第Ｎの仮想クライアント部は、モバイルネットワーク上のパケット転送装置を介してそれぞれ第１乃至第Ｎの携帯端末と接続され、
前記各仮想クライアント部は、
前記携帯端末からの指示情報を前記パケット転送装置を介して受信し、
前記指示情報をもとにアプリケーションを動作させて画面を生成し、前記画面の一部又は全部を画像エンコーダにより圧縮符号化し、
前記アプリケーション又はコンテンツファイルに付随するオーディオ信号を一旦復号し、前記復号したオーディオ信号の一部又は全部を予め定められたオーディオエンコーダにより再度圧縮符号化し、
前記圧縮符号化結果をパケットに格納して前記パケット転送装置に送出し、
前記携帯端末は、前記モバイルネットワークを介して前記パケットを受信し、前記パケットに格納された圧縮符号化結果を画面デコーダにより復号した上で画面を表示し、オーディオデコーダにより前記圧縮符号結果を復号して再生する通信システムが提供される。【００１０】
本発明に係る通信システムにおいては、モバイルネットワーク上のパケット転送装置を介して複数の携帯端末と接続されるサーバ装置を備え、前記サーバ装置は、前記各携帯端末に対応して、前記携帯端末からの指示情報を、前記パケット転送装置を介して受信し、前記指示情報を基に、対応するコンテンツを取得する制御信号・送受信部と、前記制御信号・送受信部で取得したコンテンツの圧縮符号化された画像データを復号する画像デコーダ部と、復号した画面を予め定められた解像度で一部又は全部をキャプチャする画面キャプチャ部と、前記画面キャプチャ部でキャプチャされた画像データを予め定められた圧縮符号化方式で圧縮符号化する画像エンコーダ部と、前記コンテンツに含まれる圧縮符号化されたオーディオ信号に対して、前記オーディオ信号が予め定められた圧縮符号化方式で圧縮符号化されたものであるか否か判別し、予め定められた圧縮符号化方式でない場合には、前記オーディオ信号を一旦復号し、予め定められた圧縮符号化方式の場合には、前記オーディオ信号の復号と圧縮符号化をスキップし、前記オーディオ信号をパケット送信部に入力するオーディオデコーダ部と、前記オーディオデコーダ部で復号されたオーディオ信号を、予め定められた圧縮符号化方式で圧縮符号化するオーディオエンコーダ部と、予め定められた圧縮符号化方式で圧縮符号化された画像データと予め定められた圧縮符号化方式で圧縮符号化されたオーディオ信号とをそれぞれパケット化して前記パケット転送装置に送出する前記パケット送信部と、を備え、前記携帯端末は、前記モバイルネットワークを介して前記パケットを受信し、前記パケットに格納されている、予め定められた圧縮符号化方式で圧縮符号化された画像データを前記携帯端末の画像デコーダで復号し、予め定められた圧縮符号化方式で圧縮符号されたオーディオ信号を前記携帯端末のオーディオデコーダで復号する。【００１１】
本発明において、前記モバイルネットワークは、モバイルパケット網又はモバイルＬＴＥ／ＥＰＣ網である。【００１２】
本発明によれば、モバイルネットワーク上のパケット転送装置を介して複数の携帯端末と接続されるサーバ装置であって、前記各携帯端末に対応して、
前記携帯端末からの指示情報を前記パケット転送装置を介して受信し、前記指示情報を基に、対応するコンテンツを取得する制御信号・送受信部と、
前記制御信号・送受信部で取得したコンテンツの圧縮符号化された画像データを復号する画像デコーダ部と、
前記画像デコーダ部で復号した画面を予め定められた解像度で一部又は全部をキャプチャする画面キャプチャ部と、
前記画面キャプチャ部でキャプチャされた画像データを予め定められた圧縮符号化方式で圧縮符号化する画像エンコーダ部と、
前記コンテンツに含まれるオーディオ信号に対して、予め定められた圧縮符号化方式で圧縮符号化されたものであるか否か判別し、
予め定められた圧縮符号化方式でない場合には、前記オーディオ信号を一旦復号し、
予め定められた圧縮符号化方式の場合には、前記オーディオ信号の復号と圧縮符号化をスキップし、前記オーディオ信号をパケット送信部に入力するオーディオデコーダ部と、
前記オーディオデコーダ部で復号されたオーディオ信号を予め定められた圧縮符号化方式で圧縮符号化するオーディオエンコーダ部と、
前記予め定められた圧縮符号化方式で圧縮符号化された画像データと前記予め定められた圧縮符号化方式で圧縮符号化されたオーディオ信号をそれぞれパケットに格納し前記パケット転送装置に送出する前記パケット送信部と、を備えているサーバ装置が提供される。本発明において、サーバ装置は、前記携帯端末をシン・クライアントとするシン・クライアント・サーバを構成してもよい。【００１３】
本発明によれば、モバイルネットワーク上のパケット転送装置を介して複数の携帯端末と接続されるサーバ装置では、前記各携帯端末に対応して、
前記携帯端末からの指示情報を、前記パケット転送装置を介して受信し、
前記指示情報を基に、対応するコンテンツを取得し、
前記取得したコンテンツの圧縮符号化された画像データを復号し、
復号した画面を予め定められた解像度で一部又は全部をキャプチャする；
前記キャプチャされた画像データを予め定められた圧縮符号化方式で圧縮符号化する；
前記コンテンツに含まれる圧縮符号化されたオーディオ信号に対して、予め定められた圧縮符号化方式で圧縮符号化されたものであるか否か判別し、
予め定められた圧縮符号化方式でない場合には、前記オーディオ信号を一旦復号し、前記復号したオーディオ信号を予め定められた圧縮符号化方式で圧縮符号化し、
予め定められた圧縮符号化方式で圧縮符号化されたものである場合、前記オーディオ信号の復号と圧縮符号化をスキップし、
予め定められた圧縮符号化方式で前記圧縮符号化された画像と予め定められた圧縮符号化方式で前記圧縮符号化されたオーディオ信号をそれぞれパケット化して前記パケット転送装置に送出する、
処理を実行し、
前記携帯端末では、
前記モバイルネットワークを介して前記パケットを受信し、前記パケットに格納された、予め定められた圧縮符号化方式で圧縮符号化された画像データを復号した上で画面を表示し、予め定められた圧縮符号化方式で圧縮符号化されたオーディオ信号を復号して再生する通信方法が提供される。
【発明の効果】
【００１４】
本発明によれば、新規サービスに対して、新規の端末の用意、既存端末の改造等を不要としている。
【図面の簡単な説明】
【００１５】
【図１】本発明の第１の実施形態の構成を示す図である。
【図２】図１のシンクライアントサーバ装置の構成を示す図である。
【図３】図１の仮想クライアント部の構成を示す図である。
【図４】本発明の第２の実施形態の構成を示す図である。
【発明を実施するための形態】
【００１６】
本発明の実施形態について説明する。図１は、本発明の第１の実施形態の構成を示す図である。図１には、モバイルネットワーク１５０として、モバイル・パケット・ネットワークを用い、パケット転送装置としてｘＧＳＮ装置１９０を用いる場合の構成が示されている。ここで、ｘＧＳＮ装置は、３Ｇ無線アクセス網のＳＧＳＮ（Ｓｅｒｖｉｎｇ  ＧＰＲＳ（ｇｅｎｅｒａｌ  ｐａｃｋｅｔ  ｒａｄｉｏ  ｓｅｒｖｉｃｅ）  Ｓｕｐｐｏｒｔ  Ｎｏｄｅ）装置と、ＧＧＳＮ（Ｇａｔｅｗａｙ  ＧＰＲＳ（ｇｅｎｅｒａｌ  ｐａｃｋｅｔ  ｒａｄｉｏ  ｓｅｒｖｉｃｅ）  Ｓｕｐｐｏｒｔ  Ｎｏｄｅ）装置を、一体化した装置である。ＧＧＳＮは、パケット・データ・ネットワークとの相互接続を行うノードである。ＳＧＳＮは、ＧＰＲＳユーザの位置管理、セキュリティ管理、アクセス制御を行う交換ノードである。
【００１７】
図１において、第１の携帯端末１７０＿１は、モバイルネットワーク１５０上に配置された仮想マシン方式のシンクライアントサーバ装置１１０の第１の仮想クライアント部に接続し、第１の仮想クライアント部を操作してインターネット網１０５上にあるＷｅｂ（ウェブ）サーバ１００のコンテンツを閲覧するために、基地局装置１９３、ＲＮＣ（Ｒａｄｉｏ  Ｎｅｔｗｏｒｋ  Ｃｏｎｔｒｏｌｌｅｒ）装置１９５、ｘＧＳＮ装置１９０を経由して、シンクライアントサーバ装置１１０に対して指示信号を送出する。
【００１８】
同様にして、第Ｎの携帯端末１７０＿Ｎは、モバイルネットワーク１５０上に配置されたシンクライアントサーバ装置１１０の第Ｎの仮想クライアントに接続してこれを操作するために、基地局装置１９３、ＲＮＣ装置１９５、ｘＧＳＮ装置１９０を経由して、シンクライアントサーバ装置１１０に対し指示信号を送出する。ただし、ＮはＮ≧２の正整数とする。なお、携帯端末は携帯電話機のほか、モバイルネットワーク１５０に接続する多機能携帯端末等、任意の携帯端末であってよい。
【００１９】
ここで、指示信号は、携帯端末１７０＿１でのキー操作や特殊文字入力などにより、携帯端末１７０＿１から送出される信号を意味する。
【００２０】
携帯端末１７０＿１から送出された指示信号は、モバイルネットワーク１５０上にある、基地局装置１９３、ＲＮＣ（Ｒａｄｉｏ  Ｎｅｔｗｏｒｋ  Ｃｏｎｔｒｏｌｌｅｒ）装置１９５、ｘＧＳＮ装置１９０、シンクライアントサーバ装置１１０の順に到達し、シンクライアントサーバ装置１１０が，前記指示信号を受信する。また、携帯端末１７０＿Ｎから送出された指示信号は、モバイルネットワーク１５０上にある基地局装置１９４、ＲＮＣ装置１９６、ｘＧＳＮ装置１９０、シンクライアントサーバ装置１１０の順に到達し、シンクライアントサーバ装置１１０が前記指示信号を受信する。ここで、前記指示信号のプロトコルには周知のものを使用することができるが、ここでは、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）ならびにその上位層としてＨＴＴＰ（Ｈｙｐｅｒ  Ｔｅｘｔ  Ｔｒａｎｓｐｏｒｔ  Ｐｒｏｔｏｃｏｌ）を用いるものとする。また、ＨＴＴＰ以外に、例えばＳＩＰ（Ｓｅｓｓｉｏｎ  Ｉｎｉｔｉａｔｉｏｎ  Ｐｒｏｔｏｃｏｌ）等を用いることもできる。
【００２１】
図２は、本実施形態のシンクライアントサーバ装置１１０の構成を示す図である。特に制限されないが、携帯端末は、サーバに接続するための最小限のネットワーク機能とユーザが入出力を行うための手段を備えたシン・クライアントとして機能し、サーバ（シンクライアントサーバ）では、サーバＯＳ（Ｏｐｅｒａｔｉｎｇ  Ｓｙｓｔｅｍ）上で仮想マシンを複数実行させ、各ユーザ（携帯端末）からは、仮想のクライアント部が動作しているように見える仮想マシン方式とされる。Ｎ台の携帯端末の各々に対して、仮想クライアント機能を提供するために、シンクライアントサーバ装置１１０は、Ｎ種類の仮想クライアント部２１１＿１〜２１１＿Ｎを有している（だだし、Ｎ≧２である）。
【００２２】
以下では、第１の携帯端末１７０＿１が第１の仮想クライアント部に接続し、第Ｎの携帯端末１７０＿Ｎが第Ｎの仮想クライアント部に接続する場合について説明する。すなわち、第１の仮想クライアント部２１１＿１は、第１の携帯端末１７０＿１と接続し、第Ｎの仮想クライアント部２１１＿Ｎは第Ｎの携帯端末１７０＿Ｎと接続する。
【００２３】
図２において、例えば仮想クライアント部２１１＿１は、ｘＧＳＮ装置１９０との間で、携帯端末１７０＿１からの指示信号などの制御信号（図２の破線）をやりとりするとともに、携帯端末１７０＿１へ画面圧縮符号信号やオーディオ圧縮符号信号などのデータ信号（図２の実線）を出力する。
【００２４】
図３は、図２のシンクライアントサーバ装置１１０の仮想クライアント部２１１＿１の構成を示す図である。なお、仮想クライアント部２１１＿２から２１１＿Ｎのブロック構成は、仮想クライアント部２１１＿１と同じであるため、これらに対する説明は省略する。
【００２５】
図３において、制御信号送・受信部１７３は、ｘＧＳＮ装置１９０より、携帯端末１７０＿１からの指示信号を受信する。ここでは、インターネット網１０５上のウェブ（Ｗｅｂ）サーバ装置１００で動画コンテンツサイトを閲覧するためのアプリケーションを起動するための指示信号であるものとする。
【００２６】
制御信号送・受信部１７３は、該指示信号を受信すると、該指示信号に格納された接続先のＵＲＬ（Ｕｎｉｆｏｒｍ  Ｒｅｓｏｕｒｃｅ  Ｌｏｃａｔｏｒ）またはＩＰアドレスを有するインターネット上のＷｅｂサーバに対して接続を行う。
【００２７】
制御信号送・受信部１７３は、ウェブサーバ１００から、例えば動画コンテンツファイルをダウンロードし、動画コンテンツファイルに格納された画像データ（圧縮符号化された動画データ）を画像デコーダ部１８０に出力し、オーディオデータ（圧縮符号化されたオーディオデータ）をオーディオデコーダ部１７４に出力する。
【００２８】
画像デコーダ部１８０は、動画コンテンツに対して動画データを復号し、復号した画面毎に画面キャプチャ部１８１に出力する。
【００２９】
画面キャプチャ部１８１は、予め定められた画面解像度で、画面の一部または全部をキャプチャし、画像エンコーダ部１８６に出力する。
【００３０】
画像エンコーダ部１８６は、画面キャプチャ部１８１からの出力画像データに対し、予め定められた圧縮符号化方式により圧縮符号化し、圧縮符号化した画像データをパケット送信部１７６に出力する。
【００３１】
オーディオデコーダ部１７４は、動画コンテンツに含まれるオーディオデータに対して、予め定められた圧縮符号化方式で圧縮符号化されたものであるか否かを判別し（例えばコンテンツファイル・ヘッダ等の解析により圧縮符号化のタイプ・種別を判別）、予め定められた圧縮符号化方式の場合、復号と圧縮符号化をスキップし、前記動画コンテンツに含まれる圧縮符号化されたオーディオデータをそのままパケット送信部１７６に出力する。
【００３２】
一方、動画コンテンツに含まれるオーディオデータの符号化方式が予め定められた圧縮符号化方式でない場合には、前記オーディオデータを一旦復号し、復号したオーディオ信号を、オーディオエンコーダ部１７５に出力する。
【００３３】
オーディオエンコーダ部１７５では、オーディオデコーダ部１７４からの出力信号に対して予め定められた圧縮符号化方式により圧縮符号化し、圧縮符号化したオーディオデータをパケット送信部１７６に出力する。
【００３４】
パケット送信部１７６は、画像エンコーダ部１８６の出力である圧縮符号結果と、オーディオエンコーダ部１７５の出力又はオーディオデコーダ部１７４の出力である圧縮符号化されたオーディオデータを入力し、各々に対し、パケットを構築し、パケットのペイロード部に格納した上で当該パケットをｘＧＳＮ装置１９０に対して送出する。
【００３５】
シンクライアントサーバ装置１１０は、ウェブサーバ装置１００のかわりに、コンテンツ配信サーバに接続し、視聴したいコンテンツのファイルまたはストリームをコンテンツ配信サーバから読み出す構成としてもよい。
【００３６】
本実施形態において、ｘＧＳＮ装置１９０は、ＳＧＳＮ装置とＧＧＳＮ装置に分けて配置させてもよい。
【００３７】
次に、本発明の第２の実施形態の構成を説明する。図４に、本発明の第２の実施形態の構成を示す。なお、図４において、図１と同一の番号を付した要素は、図１と同一の動作をするので、その説明は省略する。図４を参照すると、本実施形態では、図１とは相違して、携帯端末６７０は、モバイルＬＴＥ／ＥＰＣネットワーク３５０を介して、Ｅ−ＮｏｄｅＢ（Ｅｎｈａｎｃｅｄ−ＮｏｄｅＢ）装置３０５、３０６に接続する。Ｓ／Ｐ−ＧＷ（Ｓｅｒｖｉｎｇ−Ｇａｔｅｗａｙ／Ｐａｃｋｅｔ  Ｄａｔａ  Ｎｅｔｗｏｒｋ  Ｇａｔｅｗａｙ）装置３０４（パケット転送装置）を経由して、シンクライアントサーバ装置１１０に接続する。ＬＴＥ／ＥＰＣにおいてＳ−ＧＷは、ＬＴＥ（及び３Ｇ）を収容し、ユーザデータの転送を行うゲートウェイノードである。Ｐ−ＧＷは、パケット網に音声サービス等を提供するＩＭＳ（ＩＰ  Ｍｕｌｔｉｍｅｄｉａ  Ｓｕｂｓｙｓｔｅｍ）といったコアネットワーク以外のサービス・ネットワーク（パケット・データ・ネットワーク）と相互接続を行うゲートウェイノードである。
【００３８】
本実施形態によれば、かかる構成により、図１のモバイルネットワークに比べ、はるかに高速なパケットの転送が可能となる。
【００３９】
Ｅ−ＮｏｄｅＢ装置３０５、３０６は、ＬＴＥ技術を用いて、携帯端末６７０との間の無線区間で、従来よりもはるかに高速なパケット伝送を実現する。
【００４０】
また、Ｓ／Ｐ−ＧＷ装置３０４とシンクライアントサーバ装置１１０との間は、ＩＰプロトコルで接続する。このため、Ｓ／Ｐ−ＧＷ装置３０４との接続においても、図１のシンクライアントサーバ装置１１０をそのまま使用することができる。
【００４１】
Ｓ／Ｐ−ＧＷ装置３０４は、シンクライアントサーバ装置１１０からＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）またはＵＤＰ／ＩＰ（Ｕｓｅｒ  Ｄａｔａｇｒａｍ  Ｐｒｏｔｏｃｏｌ／Ｉｎｔｅｒｎｅｔ  Ｐｒｏｔｏｃｏｌ）によるパケットや、それらのプロトコルの上を転送されるファイルを受信し、ＧＴＰ−Ｕ（ＧＰＲＳ  Ｔｕｎｎｅｌｉｎｇ  Ｐｒｏｔｏｃｏｌ−Ｕｓｅｒ  Ｐｌａｎｅ）／ＴＣＰ／ＩＰまたはＧＴＰ−Ｕ／ＵＤＰ／ＩＰプロトコルに変換した上で、圧縮符号化ビットストリームまたはファイルを、Ｅ−ＮｏｄｅＢ装置３０５、３０６に出力する。
【００４２】
Ｅ−ＮｏｄｅＢ装置３０５、３０６は、ＰＤＣＰ／ＲＬＣ（Ｐａｃｋｅｔ  Ｄａｔａ  Ｃｏｎｖｅｒｇｅｎｃｅ  Ｐｒｏｔｏｃｏｌ／Ｒａｄｉｏ  Ｌｉｎｋ  Ｃｏｎｔｒｏｌ）プロトコルに変換し、携帯端末６７０に対し、パケットならびにファイルを送出する。
【００４３】
なお、前記第１の実施の形態の構成、前記第２の実施の形態の構成の各々、またはこれらの組み合わせの構成を採り入れることができることは勿論である。
【００４４】
前記各実施の形態において、携帯端末からの指示信号としては、ＳＩＰ（Ｓｅｓｓｉｏｎ  Ｉｎｉｔｉａｔｉｏｎ  Ｐｒｏｔｏｃｏｌ）やＳＤＰ（Ｓｅｓｓｉｏｎ  Ｄｅｓｃｒｉｐｔｉｏｎ  Ｐｒｏｔｏｃｏｌ）等を用いることも出来る。
【００４５】
シンクライアントサーバ装置１１０において、画像、オーディオデータの符号化方式、画面の解像度等に関して、携帯端末からその機種、能力情報を取得し、取得した情報に基づき、携帯端末に対応した圧縮符号化方式を、前記予め定められた圧縮符号化方式に設定するようしてもよい。
【００４６】
上記各実施形態によれば、オペレータが新規サービスを導入する場合に、ネットワーク上に設置したシンクライアントサーバ装置１１０のアプリケーション・ソフトを更新することで新規サービスの導入が可能となる。既存の携帯端末での復号方式等に対応した符号化方式で画像データ、オーディオデータの圧縮符号化が行われるため、新規サービスの導入のたびに、携帯端末を新規に調達したり、改造したりすることは、不要とされる。
【００４７】
また、本発明によれば、動画コンテンツやオーディオを含むコンテンツに対しても、コーデック技術の進歩により、コンテンツの圧縮符号化に新規の圧縮符号化方式が導入されても、サーバ側で隠蔽し、携帯端末とのインタフェースは変更しなくてすむ。このため、既存の端末を改造することなく、そのまま使用することができる。
【００４８】
なお、上記の特許文献の各開示を、本書に引用をもって繰り込むものとする。本発明の全開示（請求の範囲を含む）の枠内において、さらにその基本的技術思想に基づいて、実施形態ないし実施例の変更・調整が可能である。また、本発明の請求の範囲の枠内において種々の開示要素の多様な組み合わせないし選択が可能である。すなわち、本発明は、請求の範囲を含む全開示、技術的思想にしたがって当業者であればなし得るであろう各種変形、修正を含むことは勿論である。
【符号の説明】
【００４９】
１００  ウェブサーバ装置
１０５  インターネット網
１１０、３１０  シンクライアントサーバ装置
１５０  モバイルネットワーク
１７０＿１、１７０＿Ｎ、６７０＿１、６７０＿Ｎ  携帯端末
１７３  制御信号送・受信部
１７４  オーディオデコーダ部
１７５  オーディオエンコーダ部
１７６  パケット送信部
１８０  画像デコーダ部
１８１  画面キャプチャ部
１８６  画像エンコーダ部
１９０  ｘＧＳＮ装置
１９３、１９４  基地局装置
１９５、１９６  ＲＮＣ装置
２１１＿１、２１１＿Ｎ  仮想クライアント部
３０４  Ｓ／Ｐ−ＧＷ装置
３０５、３０６  Ｅ−ＮｏｄｅＢ装置
３５０  モバイルＬＴＥ／ＥＰＣネットワーク
【図１】
0005617920.tif 000002
【図２】
0005617920.tif 000003
【図３】
0005617920.tif 000004
【図４】
0005617920.tif 000005